(57)【要約】【課題】  ４本のレフィールが軸筒に収容されているにもかかわらず、指先で作動子を前方にスライドするときに、指先がクリップとほとんど干渉せず、スライドが容易な多芯筆記具を提供する。【解決手段】  クリップを有する軸筒内に複数本のレフィールが前後動可能に収容され、各レフィールに連結された作動子が軸筒の縦長孔から径方向に突出し、１つの作動子を前方にスライドさせることによりレフィールのペン先部を選択的に突出させるスライド式の多芯筆記具において、軸筒内に４本のレフィールを収容して４個の作動子を９０°の等間隔に配置し、その２個の作動子の中間に位置するクリップの少なくとも作動子近傍の側面を軸筒側に向けて傾斜させ、軸筒に対面するクリップの裏面の幅を狭して作動子とクリップの間の空間を大きく確保する。【選択図】  図４
2006326955.tif 000002
【特許請求の範囲】
【請求項１】
クリップを有する軸筒内に複数本のレフィールが前後動可能に収容され、各レフィールに連結された作動子が軸筒の縦長孔から径方向に突出し、１つの作動子を前方にスライドさせることによりレフィールのペン先部を選択的に突出させるスライド式の多芯筆記具において、
前記軸筒内に４本のレフィールが収容されて４個の作動子が９０°の等間隔に配置され、その２個の作動子の中間に位置するクリップは、少なくとも作動子近傍の側面が軸筒側に向けて傾斜し、軸筒に対面するクリップの裏面の幅が狭くなって作動子とクリップの間の空間が大きく確保されていることを特徴とする多芯筆記具。
【発明の詳細な説明】
【技術分野】
【０００１】
本発明は、複数本のレフィールが収容され、１つのレフィールのペン先部を選択的に突出させる多芯筆記具に関する。
【背景技術】
【０００２】
複数本のレフィール、例えば黒色と赤色などのようにインキ色の異なる複数本のボールペンレフィール、あるいはボールペンレフィールおよびシャープペンシルの中芯（本明細書ではシャープペンシルの中芯もレフィールに含める）を組み合わせたものを軸筒に収容し、１つのレフィールのペン先部を選択的に突出させる多芯筆記具は、１本の筆記具で複数本の筆記具の機能を果たし、極めて便利であるので、数多く実用化されている。多芯筆記具は、前軸に対しカムを内蔵した後軸を相対的に回転させることにより１つのレフィールのペン先部を選択的に突出させるものもあるが、各レフィールに作動子を連結し、軸筒の縦長孔から径方向に突出した作動子を指先で前方にスライドさせることによりレフィールのペン先部を選択的に突出させるスライド式の多芯筆記具は構造が簡単であり、特に３本ないしそれ以上のレフィールを収容した普及型のものに多用されている。
【特許文献１】特開２００４−３５８７２５公報
【発明の開示】
【発明が解決しようとする課題】
【０００３】
３本のレフィールを収容したスライド式の多芯筆記具は、３個の作動子が１２０°の等間隔で軸筒から径方向に突出するので、その間隔は広く、したがって、２個の作動子の中間にクリップが存在しても、作動子とクリップの間隔も比較的広い。このため、指先でクリップと隣接する作動子を前方にスライドするときに、指先がクリップと干渉してスライドしにくい、と言う問題はほとんど生じない。しかし最近では、インキの多色化が進み、４本のレフィールを軸筒に収容した多芯筆記具が要求されることがあるが、この場合は４個の作動子が９０°の等間隔で軸筒から径方向に突出するので、その間隔は比較的狭くなる。また、クリップは、外観上や強度上の理由から、その幅や厚みはある程度の大きさが必要である。このため、９０°間隔の２個の作動子の中間にクリップが存在すると、クリップと作動子の間の間隔が狭く、指先でクリップに隣接する作動子を前方にスライドするときに、指先がクリップと干渉してスライドしにくい不具合がある。
【０００４】
そこで本発明は、４本のレフィールが軸筒に収容されているにもかかわらず、指先でクリップに隣接する作動子を前方にスライドするときに、指先がクリップとほとんど干渉せず、スライドが容易な多芯筆記具を提供することを目的とするものである。
【課題を解決するための手段】
【０００５】
かかる目的を達成するために、本発明は、クリップを有する軸筒内に複数本のレフィールが前後動可能に収容され、各レフィールに連結された作動子が軸筒の縦長孔から径方向に突出し、１つの作動子を前方にスライドさせることによりレフィールのペン先部を選択的に突出させるスライド式の多芯筆記具において、軸筒内に４本のレフィールを収容して４個の作動子を９０°の等間隔に配置し、その２個の作動子の中間に位置するクリップの少なくとも作動子近傍の側面を軸筒側に向けて傾斜させ、軸筒に対面するクリップの裏面の幅を狭して作動子とクリップの間の空間を大きく確保する。
【発明の効果】
【０００６】
クリップの少なくとも作動子近傍の側面を軸筒側に向けて傾斜させ、軸筒に対面するクリップの裏面の幅を狭くして作動子とクリップの間の空間を大きく確保するので、４本のレフィールが軸筒に収容されているにもかかわらず、指先でクリップに隣接する作動子を前方にスライドするときに、指先がクリップとほとんど干渉せず、スライドが容易な多芯筆記具とすることができる。
【発明を実施するための最良の形態】
【０００７】
以下に発明を実施するための形態を図面に基づいて説明する。図１および図２において、合成樹脂で成形された軸１０の先端に同じく合成樹脂で成形された大先１３が接続されており、軸１０と大先１３で軸筒を構成している。軸１０の尾端側には、４個の縦長孔１１が、図３や図４に示すように、９０°の等間隔で形成されている。また、縦長孔１１の内側には係止段１２が形成されている。軸１０の先端側内部には、４個の孔を有するシリンダー１５が固着されている。
【０００８】
２個の縦長孔１１の中間にクリップ２０が軸１０と一体に形成されている。クリップ２０の表面２１は、図３や図４に示すように、通常のクリップと同等の幅であるが、側面２２は軸１０に向けて傾斜しており、軸１０に対面する裏面２３は表面２１に比べて幅が狭くなっている。なお、側面２２の傾斜は図例では直線状であるが、凹状の円弧であってもよい。
【０００９】
先端にペン先部３１を有する４本のボールペンレフィール３０がシリンダー１５の孔に挿入された状態で軸１０と大先１３からなる軸筒内に前後動可能に収容されており、これらのレフィール３０はスプリング３２により尾端側に弾発されている。１本のボールペンレフィール３０がシャープペンシルの中芯であってもよい。そして、４個の作動子４０が縦長孔１１から径方向にそれぞれ突出している。ここで、軸１０に対面する裏面２３は表面２１に比べて幅が狭くなっているので、クリップ２０に隣接する作動子４０とクリップ２０の間には、通常の断面が略長方形のクリップの場合に比べて大きな空間が確保されている。作動子４０の裏面には、被押圧突起４１と押圧突起４２が形成されている。そして、作動子４０先端の連結部４３がそれぞれのレフィール３０の尾端開口に圧入されて連結されている。
【００１０】
しかして、１つの作動子４０を指先で前方にスライドさせると、作動子４０には径方向の分力が作用するので、図１に示すように、作動子４０が係止段１２に係止するとともに、ペン先部３１が大先１３の先端開口１４から突出し、筆記可能になる。このとき、クリップ２０に隣接する作動子４０とクリップ２０の間に大きな空間が確保されているので、クリップ２０に隣接する作動子４０をスライドさせるときも指先がクリップ２０と干渉しにくく、容易にスライドすることができる。
次に、他のレフィール３０のペン先部３１で筆記するときは、図１に示す状態から、そのレフィール４０に接続された作動子４０をスライドさせると、この作動子４０の押圧突起４２が、ペン先部３１が突出しているレフィール３０に連結された作動子４０の被押圧突起４１を径方向に押圧するので作動子４０と係止段１２の係止が解除され、スプリング３２の弾発力によりレフィール３０が後退してペン先部３１が大先１３内に没入する。そして、スライドさせた作動子４０が係止段１２に係止するとともに、この作動子４０に連結されたレフィール３０のペン先部３１が大先１３の先端開口１４から突出し、筆記可能になる。
【図面の簡単な説明】
【００１１】
【図１】本発明実施例の断面図である。
【図２】同じく要部の正面図である。
【図３】図２のＡ−Ａ線における断面図である。
【図４】図２のＢ−Ｂ線における断面図である。
【符号の説明】
【００１２】
１０    軸
１１    縦長孔
１２    係止段
１３    大先
１４    先端開口
１５    シリンダー
２０    クリップ
２１    クリップの表面
２２    クリップの側面
２３    クリップの裏面
３０    レフィール
３１    ペン先部
３２    スプリング
４０    作動子
４１    被押圧突起
４２    押圧突起
４３    連結部
【図１】
2006326955.tif 000003
【図２】
2006326955.tif 000004
【図３】
2006326955.tif 000005
【図４】
2006326955.tif 000006